(57)【要約】【課題】従来より電気的駆動手段に対する冷却効率を上げることが可能な弾球遊技機を提供する。【解決手段】本発明に係るパチンコ遊技機によれば、樋５１内を遊技球が流下している間のみならず、樋５１内で遊技球が堰き止められた後も羽根車６０の慣性力を利用して、ソレノイド５５に風を送ることができるので、従来より長い時間に亘ってソレノイド５５を冷却することができる。しかも、本発明の構成によれば、樋５１内を流下する遊技球の自重に起因して冷却風を発生させるので、余分な電力を使用することなくソレノイド５５を冷却することができる。また、ケース５０の上部と下部とに放熱孔６６を設けたことで下方から上方へと向かう空気の通路の途中にソレノイド５５を配置し、その空気の流れを羽根車６０により促進して、効率的にソレノイド５５を冷却することができる。【選択図】  図３
2004201712.tif 000002
【特許請求の範囲】
【請求項１】
遊技球が流下する樋と、
前記樋内を流下する遊技球を制止する第１の位置と、前記樋内で制止された遊技球を流下させる第２の位置とに変位可能な遊技球制止部材と、
前記遊技球制止部材を前記第１の位置と前記第２の位置とに駆動する電気的駆動手段とを有した払出装置を備えた弾球遊技機において、
前記電気的駆動手段の近傍には、前記電気的駆動手段に風を送るための羽根部を備えた回動部材が回動可能に設けられ、
前記回動部材は、前記遊技球制止部材が前記第２の位置に変位することによって、前記樋内を流下する遊技球の自重に起因して回動すると共に、前記遊技球制止部材が前記第１の位置に変位した後でも慣性力によって回動するように構成されたことを特徴とする弾球遊技機。
【請求項２】
前記樋内を流下する遊技球に接触して前記回動部材の回動力を得るための接触部を、前記回動部材に一体に備えたことを特徴とする請求項１に記載の弾球遊技機。
【請求項３】
前記樋内を流下する遊技球に接触して前記遊技球の自重により駆動される接触部材を前記回動部材と別個に設け、前記回動部材は、前記接触部材から駆動力を受けて回動するように構成したことを特徴とする請求項１に記載の弾球遊技機。
【請求項４】
前記接触部材は、前記樋の近傍に軸支され、前記樋内を流下する遊技球に接触して回動することを特徴とする請求項３記載の弾球遊技機。
【請求項５】
前記接触部材には、前記接触部材の回動に伴い前記回動部材を回動する駆動力伝達部が設けられると共に、前記回動部材には前記接触部材の回動に伴い回動し前記駆動力伝達部からの駆動力を受ける駆動力受部が設けられ、前記接触部材の回動に伴い回動する前記駆動力伝達部の前記駆動力受部への接触或いは衝突により前記回動部材を回動させると共に前記回動部材の回動に慣性力を発生させることを特徴とする請求項４に記載の弾球遊技機。
【請求項６】
前記接触部材と前記回動部材とには、前記接触部材から前記回動部材に回動力を伝達するための伝達手段がそれぞれ設けられ、前記接触部材が遊技球の自重を受けて回動したときには、前記伝達手段同士の係合により前記接触部材から前記回動部材に回動力が伝達され、前記回動部材が慣性力で回動したときには、前記伝達手段同士の係合が解除されるように構成したことを特徴とする請求項４に記載の弾球遊技機。
【請求項７】
前記伝達手段は、前記接触部材及び前記回動部材の回転中心の周りに複数配置された係止突部で構成され、
前記接触部材が遊技球の自重を受けて回動した場合には、前記接触部材及び前記回動部材の係止突部同士が係合する一方、前記回動部材が慣性力で回動した場合には、前記接触部材及び前記回動部材の係止突部のうち少なくとも何れか一方が内側に撓んで前記係止突部同士の係合が解除されるように構成したことを特徴とする請求項６に記載の弾球遊技機。
【請求項８】
前記接触部材及び前記回動部材の伝達手段のうち一方は、回転方向の前方に向かうに従って徐々に外側に突出した三角歯で構成されると共に、他方は、回転方向の後方に向かって延びた弾性片で構成され、
前記接触部材が遊技球の自重を受けて回動した場合には、前記三角歯のうち回転方向の前方を向いた係止面に前記弾性片の先端が係止し、
前記回動部材が慣性力で回動した場合には、前記三角歯のうち回転方向の後方を向いた傾斜面を前記弾性片が摺接するように構成したことを特徴とする請求項６又は７に記載の弾球遊技機。
【請求項９】
前記伝達手段と前記羽根部とは、前記回動部材の軸方向の異なる位置に配置されたことを特徴とする請求項５乃至８の何れかに記載の弾球遊技機。
【請求項１０】
前記接触部材と前記回動部材とを連動させる介在部材を設けたことを特徴とする請求項３又は４に記載の弾球遊技機。
【請求項１１】
前記接触部材と前記回動部材とを離間して配置し、前記介在部材は、前記接触部材と前記回動部材との間に差し渡されたベルトであることを特徴とする請求項１０に記載の弾球遊技機。
【請求項１２】
樋内を流下する遊技球を遊技球制止部材で堰き止め、前記遊技球制止部材を電気的駆動手段によって駆動することで、前記堰き止められた遊技球を払い出す払出装置を備えた弾球遊技機において、
前記樋のうち前記遊技球制止部材より下流側を流下する遊技球の自重を受けて回転する回動部材を備え、前記回動部材には、前記電気的駆動手段に風を送るための羽根部が設けられたことを特徴とする弾球遊技機。
【請求項１３】
前記羽根部は、前記回動部材の中心側から外側に向かうに従って回転方向の後方に向かうように湾曲した突片で構成されたことを特徴とする請求項１乃至１２の何れかに記載の弾球遊技機。
【請求項１４】
前記払出装置は、前記樋の一部を備えた筐体に前記電気的駆動手段及び前記回動部材とを収容して一体化したユニットであることを特徴とする請求項１乃至１３の何れかに記載の弾球遊技機。
【請求項１５】
前記筐体の上部と下部とに放熱孔を形成し、
前記電気的駆動手段を、前記筐体のうち下部の放熱孔から上部の放熱孔に向かう空気の通路の途中に配置すると共に、前記回動部材を、前記電気的駆動手段の下方に配置したことを特徴とする請求項１４に記載の弾球遊技機。
【請求項１６】
前記電気的駆動手段は、ソレノイドと前記ソレノイドの励磁により直動される可動部とを備えてなり、
前記遊技球制止部材は、前記電気的駆動手段の前記可動部に固定されて、前記樋の側方から前記樋内に進退するように構成したことを特徴とする請求項１乃至１５の何れかに記載の弾球遊技機。
【発明の詳細な説明】
【０００１】
【発明の属する技術分野】
本発明は、払出装置を備えた弾球遊技機に関する。
【０００２】
【従来の技術】
一般に、弾球遊技機に備えた払出装置は、遊技球が流下する樋に側方から制止部材を突出させて、一時的に遊技球を樋内に堰き止めると共に、必要に応じて制止部材を樋から退避させて、樋から遊技球を払い出す構成になっている。また、払出装置には、制止部材を樋内に進退させるための電気的駆動手段（例えば、ソレノイド）が設けられており、その電気的駆動手段を冷却するための従来の構成として制止部材に羽根部を一体形成したものが知られている（例えば、特許文献１）。このものでは、電気的駆動手段にて制止部材を出没させたときに羽根部にて風を起こして、電気的駆動手段の冷却を図っている。
【０００３】
【特許文献１】
特開２００１−２９６１３号公報（段落[００１１]〜[００１２]、第１図）
【０００４】
【発明が解決しようとする課題】
ところが、上述した従来の弾球遊技機では、羽根部が制止部材に一体形成されていたので、制止部材を出没動作させた瞬間しか電気的駆動手段に風を送ることができなかった。また、従来の弾球遊技機では、羽根部にて風を起こすためにも電気的駆動手段の動力が使用され、風を起こすこと自体が熱発生の原因になるので、十分な冷却効果を期待することができなかった。
【０００５】
本発明は、上記事情に鑑みてなされたもので、従来より電気的駆動手段に対する冷却効率を上げることが可能な弾球遊技機の提供を目的とする。
【０００６】
【課題を解決するための手段】
上記目的を達成するためになされた請求項１の発明に係る弾球遊技機は、遊技球が流下する樋と、樋内を流下する遊技球を制止する第１の位置と、樋内で制止された遊技球を流下させる第２の位置とに変位可能な遊技球制止部材と、遊技球制止部材を第１の位置と第２の位置とに駆動する電気的駆動手段とを有した払出装置を備えた弾球遊技機において、電気的駆動手段の近傍には、電気的駆動手段に風を送るための羽根部を備えた回動部材が回動可能に設けられ、回動部材は、遊技球制止部材が第２の位置に変位することによって、樋内を流下する遊技球の自重に起因して回動すると共に、遊技球制止部材が第１の位置に変位した後でも慣性力によって回動するように構成されたところに特徴を有する。
【０００７】
請求項２の発明は、請求項１に記載の弾球遊技機において、樋内を流下する遊技球に接触して回動部材の回動力を得るための接触部を、回動部材に一体に備えたところに特徴を有する。
【０００８】
請求項３の発明は、請求項１に記載の弾球遊技機において、樋内を流下する遊技球に接触して遊技球の自重により駆動される接触部材を回動部材と別個に設け、回動部材は、接触部材から駆動力を受けて回動するように構成したところに特徴を有する。
【０００９】
請求項４の発明は、請求項３記載の弾球遊技機において、接触部材は、樋の近傍に軸支され、樋内を流下する遊技球に接触して回動するところに特徴を有する。
【００１０】
請求項５の発明は、請求項４に記載の弾球遊技機において、接触部材には、接触部材の回動に伴い回動部材を回動する駆動力伝達部が設けられると共に、回動部材には接触部材の回動に伴い回動し駆動力伝達部からの駆動力を受ける駆動力受部が設けられ、接触部材の回動に伴い回動する駆動力伝達部の駆動力受部への接触或いは衝突により回動部材を回動させると共に回動部材の回動に慣性力を発生させるところに特徴を有する。
【００１１】
請求項６の発明は、請求項４に記載の弾球遊技機において、接触部材と回動部材とには、接触部材から回動部材に回動力を伝達するための伝達手段がそれぞれ設けられ、接触部材が遊技球の自重を受けて回動したときには、伝達手段同士の係合により接触部材から回動部材に回動力が伝達され、回動部材が慣性力で回動したときには、伝達手段同士の係合が解除されるように構成したところに特徴を有する。
【００１２】
請求項７の発明は、請求項６に記載の弾球遊技機において、伝達手段は、接触部材及び回動部材の回転中心の周りに複数配置された係止突部で構成され、接触部材が遊技球の自重を受けて回動した場合には、接触部材及び回動部材の係止突部同士が係合する一方、回動部材が慣性力で回動した場合には、接触部材及び回動部材の係止突部のうち少なくとも何れか一方が内側に撓んで係止突部同士の係合が解除されるように構成したところに特徴を有する。
【００１３】
請求項８の発明は、請求項６又は７に記載の弾球遊技機において、接触部材及び回動部材の伝達手段のうち一方は、回転方向の前方に向かうに従って徐々に外側に突出した三角歯で構成されると共に、他方は、回転方向の後方に向かって延びた弾性片で構成され、接触部材が遊技球の自重を受けて回動した場合には、三角歯のうち回転方向の前方を向いた係止面に弾性片の先端が係止し、回動部材が慣性力で回動した場合には、三角歯のうち回転方向の後方を向いた傾斜面を弾性片が摺接するように構成したところに特徴を有する。
【００１４】
請求項９の発明は、請求項５乃至８の何れかに記載の弾球遊技機において、伝達手段と羽根部とは、回動部材の軸方向の異なる位置に配置されたところに特徴を有する。
【００１５】
請求項１０の発明は、請求項３又は４に記載の弾球遊技機において、接触部材と回動部材とを連動させる介在部材を設けたところに特徴を有する。
【００１６】
請求項１１の発明は、請求項１０に記載の弾球遊技機において、接触部材と回動部材とを離間して配置し、介在部材は、接触部材と回動部材との間に差し渡されたベルトであるところに特徴を有する。
【００１７】
請求項１２の発明に係る弾球遊技機は、樋内を流下する遊技球を遊技球制止部材で堰き止め、遊技球制止部材を電気的駆動手段によって駆動することで、堰き止められた遊技球を払い出す払出装置を備えた弾球遊技機において、樋のうち遊技球制止部材より下流側を流下する遊技球の自重を受けて回転する回動部材を備え、回動部材には、電気的駆動手段に風を送るための羽根部が設けられたところに特徴を有する。
【００１８】
請求項１３の発明は、請求項１乃至１２の何れかに記載の弾球遊技機において、羽根部は、回動部材の中心側から外側に向かうに従って回転方向の後方に向かうように湾曲した突片で構成されたところに特徴を有する。
【００１９】
請求項１４の発明は、請求項１乃至１３の何れかに記載の弾球遊技機において、払出装置は、樋の一部を備えた筐体に電気的駆動手段及び回動部材とを収容して一体化したユニットであるところに特徴を有する。
【００２０】
請求項１５の発明は、請求項１４に記載の弾球遊技機において、筐体の上部と下部とに放熱孔を形成し、電気的駆動手段を、筐体のうち下部の放熱孔から上部の放熱孔に向かう空気の通路の途中に配置すると共に、回動部材を、電気的駆動手段の下方に配置したところに特徴を有する。
【００２１】
請求項１６の発明は、請求項１乃至１５の何れかに記載の弾球遊技機において、電気的駆動手段は、ソレノイドとソレノイドの励磁により直動される可動部とを備えてなり、遊技球制止部材は、電気的駆動手段の可動部に固定されて、樋の側方から樋内に進退するように構成したところに特徴を有する。
【００２２】
【発明の作用及び効果】
＜請求項１の発明＞
請求項１の弾球遊技機では、遊技球制止部材が第１の位置になると樋内に遊技球が堰き止められ、第２の位置なると樋内に堰き止められた遊技球が払い出される。このときには、樋内を流下する遊技球の自重に起因して回動部材が回動し、電気的駆動手段に風を送ることができる。このように、本発明では、従来のように電気的駆動手段の動力を使用して風を発生させるのではなく、樋内を流下する遊技球の自重により風を発生させるので、従来より電気的駆動手段に対する冷却効率を上げることが可能になる。また、回動部材が一度回動すると、遊技球が樋内を流下しなくなった後でも、慣性力によって暫くの間は回動部材が回動して、電気的駆動手段に風を送ることができるので、冷却時間を従来より長くすることができ、この点においても従来より電気的駆動手段に対する冷却効率を上げることが可能になる。
【００２３】
＜請求項２の発明＞
請求項２の弾球遊技機では、樋内を流下する遊技球が接触部に接触する毎に回動部材が動力を得て回動し、電気的駆動手段に風を送ることができる。また、回動部材に羽根部と接触部とを一体に備えたことで、風を生じさせる機能と回動部材を回動させる機能との２つの機能を回動部材にもたせるとができる。
【００２４】
＜請求項３の発明＞
請求項３の弾球遊技機では、接触部材と回動部材とを別個に設けたので、回動部材の配置の自由度が向上する。
【００２５】
＜請求項４の発明＞
請求項４の弾球遊技機では、接触部材を樋の近傍の壁部に軸支して回動可能としたことで、接触部材により回動部材を効率よく回動させることができる。
【００２６】
＜請求項５の発明＞
請求項５の弾球遊技機では、接触部材が遊技球の自重を受けて回動したときに、接触部材の回動に伴い回動した駆動力伝達部が、回動部材の駆動力受部に接触或いは衝突して回動部材が回動し、その回動部材の回動に慣性力を発生させることができる。
【００２７】
＜請求項６の発明＞
請求項６の弾球遊技機では、接触部材が遊技球の自重を受けて回動したときには、接触部材及び回動部材の伝達手段同士が係合して接触部材から回動部材に回動力が伝達され、回動部材が慣性力で回動したときには、伝達手段同士の係合が解除される。即ち、接触部材が停止しても、回動部材は慣性力で回動することができる。
なお、本発明における伝達手段同士の「係合」とは、接触部材及び回動部材とが連動するための力を伝達手段同士の間で伝達可能な状態をいい、係合の形態は限定されない。従って、ここでいう伝達手段同士の「係合」は、例えば、摩擦係合であってもよいし、ギヤと弾性片の係合であってもよいし、磁力による係合であってもよいし、チェーン、ベルト等の介在物を介した係合であってもよい。
【００２８】
＜請求項７の発明＞
請求項７の弾球遊技機では、接触部材が遊技球の自重を受けて回動する場合には、接触部材及び回動部材の係止突部同士が係合し、回動部材が接触部材から動力を受けて回転する。一方、回動部材が慣性力で回動した場合には、接触部材及び回動部材の係止突部のうち少なくとも何れか一方が内側に撓んで係止突部同士の係合が解除され、接触部材が停止しても回動部材だけを慣性力で回動させることができる。
【００２９】
＜請求項８，９の発明＞
請求項８の弾球遊技機では、接触部材が遊技球の自重を受けて回動する場合には、接触部材及び回動部材のうち一方に設けた弾性片の先端と、他方に設けた三角歯の前側平面とが係止して、接触部材と回動部材とを連動回動させることができる。また、回動部材が慣性力で回動した場合には、三角歯の後方の斜面に弾性片が摺接して三角歯と弾性片との係止が解除され、慣性力により回動部材のみを回動させることができる。なお、羽根部と三角歯との干渉を避けるために、伝達手段と羽根部とを回動部材の軸方向の異なる位置に配置することが好ましい（請求項９の発明）。
【００３０】
＜請求項１０及び１１の発明＞
請求項１０の弾球遊技機では、接触部材と回動部材とを連動させる介在部材を設けたことで、回動部材の配置の自由度が高まり、回動部材を電気的駆動手段の近くに配置することが可能となる。具体的には、ベルトを介在部材として接触部材と回動部材との間に差し渡すことで、接触部材と回動部材とが離間可能となり、回動部材の配置の自由度が高まる（請求項１１の発明）。
【００３１】
＜請求項１２の発明＞
請求項１２の弾球遊技機では、回動部材は樋の遊技球制止部材よりも下流側を通過する遊技球によって回動するので、樋内を流下する遊技球により回動された回動部材は、遊技球が樋内に堰き止められた後も、それら堰き止められた遊技球と干渉することがなく、慣性力によって回動する。つまり、遊技球が樋内を流下し始めてから、流下終了後、暫く経つまでの間に亘って電気的駆動手段に風を送ることができ、従来より長く電気的駆動手段を冷却することが可能になる。しかも、回動部材は遊技球の自重によって回動されるので、余分な電力を使用せずに回動させることができる。
【００３２】
＜請求項１３の発明＞
請求項１３の弾球遊技機では、回動部材が回転すると羽根部の湾曲に沿って空気が外側に送られて、電気的駆動手段へと風を送ることができる。
【００３３】
＜請求項１４の発明＞
請求項１４の弾球遊技機では、払出装置がユニットになっているので、弾球遊技機への組み付けが容易になる。
【００３４】
＜請求項１５の発明＞
請求項１５の弾球遊技機では、払出装置の筐体には、上部と下部とに放熱孔が設けられ、熱の上昇により下から上に流れる空気の通路の途中に電気的駆動手段を配置したので、電気的駆動手段の冷却を効率よく行うことができる。そして、回動部材は、電気的駆動手段に下方から送風するので、電気的駆動手段の冷却効率を更に向上させることができる。
【００３５】
＜請求項１６の発明＞
請求項１６の弾球遊技機では、遊技球制止部材を作動させる際に、電気的駆動手段のソレノイドから発生した熱を除去することができる。
【００３６】
【発明の実施の形態】
＜第１実施形態＞
以下、本発明を適用したパチンコ遊技機に係る第１実施形態を、図１〜図５に基づいて説明する。図１に示すように、本実施形態のパチンコ遊技機は、パチンコホールの遊技島に固定された取付枠１００に取り付けられている。パチンコ遊技機の遊技盤１１には、ガイドレール１２で囲まれたほぼ円形の遊技領域Ｒ１が形成され、遊技領域Ｒ１の中央部に、表示装置１３が備えられている。遊技領域Ｒ１のうち表示装置１３の下方には、始動入賞口１４、大入賞口１５及び外れ球受け入れ口１６が、上から順に間隔を開けて並べて設けられている。また、遊技領域Ｒ１のうち表示装置１３等を挟んだ左右の両側には、上から順に、ランプ風車１７、始動ゲート１８、風車１９、上側サイド入賞口２０，下側サイド入賞口２１が設けられ、ガイドレール１２に沿った両側端部には、サイドランプ２２，２２が設けられている。また、遊技領域Ｒ１全体に亘って、図示しない複数の障害釘が起立している。
【００３７】
パチンコ遊技機のうち遊技盤１１より下方には、上皿２７Ａ及び下皿２７Ｂが上下２段にして設けられている。そして、下皿２７Ｂの右端部に設けた操作ノブ２８を操作することで、上皿２７Ａに収容された遊技球が遊技盤１１に向けて弾き出される。また、上皿２７Ａに設けたボタン２９を押せば、上皿２７Ａから下皿２７Ｂに遊技球が移動して収容される。さらに、上皿２７Ａを挟んだ両側には、スピーカ５９Ｓが備えられている。
【００３８】
図１に示すように、取付枠１００の左側部には、プリペイドカードユニット１０１が備えられている。プリペイドカードユニット１０１には、カード挿入口１０２が設けられ、このカード挿入口１０２に、予め購入したプリペイドカードを挿入して、球貸しボタン１０３を押すと、所定数の遊技球が、パチンコ遊技機の後側に備えられた貸球払出装置３１（図２を参照）によって、上皿２７Ａに払い出される。
【００３９】
次に所要の各部位についてさらに詳説する。
上側サイド入賞口２０及び下側サイド入賞口２１は、共に遊技球が１つ入賞可能な開口幅をなして上方に開放されている。そして、これら各サイド入賞口２０，２１に遊技球が入賞すると、例えば５個の遊技球が後述する賞球払出装置３０（図２を参照）によって上皿２７Ａに払い出される。
【００４０】
始動ゲート１８は、遊技球が潜って通過可能な門形構造をなし、通過した遊技球は、その始動ゲート１８に内蔵した普通図柄始動スイッチによって検出される。そして、その検出信号に基づいて、後述する普通図柄表示領域２４の図柄が変動表示される。
【００４１】
始動入賞口１４は、所謂、ポケット構造をなして上方に向かって開口しており、その開口の両側部には可動翼片１４Ｃ，１４Ｃが備えられている。これら両可動翼片１４Ｃ，１４Ｃは、常には起立状態になっており、両可動翼片１４Ｃ，１４Ｃに挟まれた始動入賞口１４の開口幅は、遊技球が約１つ入る大きさになっている。そして、遊技盤１１の裏に設けたソレノイドが駆動されると、可動翼片１４Ｃ，１４Ｃが横に倒され、遊技球が可動翼片１４Ｃに案内されて始動入賞口１４に入り得る状態になる。
【００４２】
始動入賞口１４に遊技球が入賞すると、始動入賞口１４内に設けた特別図柄始動スイッチが遊技球を検出し、その検出信号に基づいて賞球払出装置３０によって、例えば、１０個の遊技球が上皿２７Ａに払い出されると共に、表示装置１３が後述するように図柄を変動表示する。なお、表示装置１３が図柄を変動表示している間に、始動入賞口１４に入賞した入賞球は、４個まで保留記憶される。
【００４３】
大入賞口１５は、横長に形成されて、常には、可動扉１５Ｔにて閉塞されている。そして、後述する所定条件の成立によって、パチンコ遊技機が「大当たり状態」になると、遊技盤１１の裏に設けたソレノイドが駆動され、可動扉１５Ｔが所定期間に亘って前側に倒れる。これにより、大入賞口１５が開放され、可動扉１５Ｔを案内にして、大入賞口１５に多くの遊技球が入賞可能になる。大入賞口１５に遊技球が入賞すると、大入賞口１５内に設けた検出スイッチが遊技球を検出し、その検出信号に基づいて賞球払出装置３０によって、例えば、１５個の遊技球が上皿２７Ａに払い出される。そして、所定条件が成立（可動扉１５Ｔの開放時間が２９秒に達したか、又は、大入賞口１５に遊技球が１０個入賞したか）すると、可動扉１５Ｔが遊技盤１１側に回動して大入賞口１５を閉塞する。
【００４４】
表示装置１３は、全体として枠形構造をなした表示枠体２３の後端面に、図示しない液晶モジュール（詳細には、ＴＦＴ−ＬＣＤモジュール）を組み付けてなる。液晶モジュールのうち表示枠体２３によって取り囲まれた前面部分は、表示部３４となっており、遊技者は、表示枠体２３を通して表示部３４に表示された画像を見ることができる。
【００４５】
表示部３４の中央部分には、特別図柄表示領域が設けられ、図１に示すように、通常は、３つの左、中、右の特別図柄１３Ａ，１３Ｂ，１３Ｃが、横並びに表示されている。これら各特別図柄１３Ａ，１３Ｂ，１３Ｃは、例えば、「０」〜「１１」の数字を表記した複数種類のもので構成されており、通常は、各特別図柄１３Ａ，１３Ｂ，１３Ｃごと、所定の種類のものが、表示部３４に確定表示されている。そして、始動入賞口１４に遊技球が入賞したときに当否判定され、各特別図柄１３Ａ，１３Ｂ，１３Ｃが、上下方向にスクロールして変動表示され、所定時間後に、例えば、左、中、右の順で各特別図柄１３Ａ，１３Ｂ，１３Ｃが停止表示される。このとき、例えば、当否判定の結果が当たりで全ての特別図柄１３Ａ，１３Ｂ，１３Ｃが同じ図柄、即ち、ぞろ目になった場合に、遊技が「大当たり状態」になり、可動扉１５Ｔが開かれる。
【００４６】
表示部３４のうち、特別図柄表示領域の左下隅には、普通図柄表示領域２４が設けられている。この普通図柄表示領域２４は、始動ゲート１８内に設けた普通図柄始動スイッチが遊技球の通過を検出したときに当否判定され、例えば、「０」〜「９」までの数字（普通図柄）を所定期間に亘って変動表示した後、所定の数字を確定表示する。そして、確定表示された数字が、例えば、奇数の場合に、前記始動入賞口１４に設けた前記可動翼片１４Ｃ，１４Ｃが所定期間（例えば、０．４秒）に亘って横に倒される。なお、普通図柄表示領域２４で表示する普通図柄は、数字に限るものではなく、アルファベットや記号等でもよい。
【００４７】
図２に示すように、パチンコ遊技機の後面中央には、遊技の主制御を行う主制御基板７２が設けられ、その上方に、タンク７１が設けられている。そして、遊技場に備えられた図示しないダクトからタンク７１に遊技球が供給されて、常に一定量以上の遊技球がタンク７１に貯留されている。タンク７１の下方には、主制御基板７２の上辺から右側辺に沿うようにして、樋本体７５が延びており、タンク７１に貯留された遊技球は、この樋本体７５内を通過して上皿２７Ａに払い出される。主制御基板７２の右側方で、樋本体７５の途中には、賞球払出装置３０及び貸球払出装置３１が上下に配設されている。さらに、主制御基板７２及び賞球払出装置３０の下方には、払出制御基板５８が設けられており、賞球払出装置３０及び貸球払出装置３１は、この払出制御基板５８からの信号に基づいて駆動される。
【００４８】
さて、本実施形態では、賞球及び貸球の両払出装置３０，３１に本発明が適用されている。これら両払出装置３０，３１は本発明に関する構成が同じなので、詳細構造の説明は、賞球払出装置３０についてのみ以下に行う。
【００４９】
図３に示すように、賞球払出装置３０は、樋本体７５の途中に着脱可能に取り付けられるユニットとなっている。そのユニットの外側を構成するケース５０（本発明の「筐体」に相当する）は、全体として扁平な略直方体形状をなし、ケース５０の一側部の内部には樋５１が形成されている。そして、樋５１の上下の開口４５，４６がそれぞれ樋本体７５に連絡され、樋５１内を遊技球が通過可能となっている。
【００５０】
図５に示すように、樋５１を構成する樋構成壁５１Ｒは、ケース５０の一方の側壁に併設されており、樋５１内には樋構成壁５１Ｒと他方の側壁との間に、作動部収容空間５０Ｓが設けられている。
【００５１】
図３に示すように、樋構成壁５１Ｒの上端寄り位置には、スライド孔５３が形成され、スライド孔５３の開口縁からは作動部収容空間５０Ｓに向けて筒体５３Ｔが延び、この筒体５３Ｔの内部に遊技球制止部材５６が挿入されている。
【００５２】
遊技球制止部材５６は、突出部３２の基端側に挟持部３３を備えてなる。突出部３２の先端は、上下にテーパ面を備えて先細り形状になっている。また、挟持部３３には、スリット３３Ｓが形成されており、このスリット３３Ｓに次述するソレノイド５５が組み付けられている。
【００５３】
ソレノイド５５は、作動部収容空間５０Ｓの上方位置に配置され、水平方向に直動可能なシャフト５７（本発明の「可動部」に相当する）を備えている。そして、シャフト５７の先端部に形成されたフランジ５７Ｆを、遊技球制止部材５６の挟持部３３に備えたスリット３３Ｓに下方から挿入することで、シャフト５７の先端に遊技球制止部材５６が固定されている。また、シャフト５７には、コイルばね６１が巻回されており、このコイルばね６１の両端部がフランジ５７Ｆとソレノイド５５の一端面とに突き当てられている。
【００５４】
ソレノイド５５が消磁されると、図３に示すようにシャフト５７がコイルばね６１の付勢力によってストロークの一端に押され、遊技球制止部材５６の挟持部３３がスライド孔５３の端部に突き当たる。これにより、遊技球制止部材５６が第１の位置に位置決めされ、突出部３２の先端が樋５１内に突出して遊技球が樋５１内に堰き止められる。
【００５５】
ソレノイド５５が励磁されると、図４に示すように、磁力によりシャフト５７がコイルばね６１を押し縮めながらソレノイド５５内に向けて変位し、遊技球制止部材５６が第２の位置に配置される。すると、遊技球制止部材５６の突出部３２が、樋５１内から退避してスライド孔５３内に没入し、遊技球が樋５１内を流下する。なお、ソレノイド５５は、払出制御基板５８によって励磁される。
【００５６】
さて、図３に示すように、作動部収容空間５０Ｓにおけるソレノイド５５よりも下方には、樋５１の樋構成壁５１Ｒに隣接した位置に、羽根車６０が備えられている。羽根車６０は、本発明の「回動部材」に相当する円板体７０と、本発明に係る複数の羽根部６２と、本発明の「接触部」に相当する複数の球受突部６３Ｈとを一体に備えてなり、これら球受突部６３Ｈと羽根部６２とが羽根車６０における異なる位置に配置されている。円板体７０は、中心に回転軸６４を備え、この回転軸６４がケース５０のうち扁平方向で対向した前壁５０Ｆ，後壁５０Ｂ（図５参照）の間に差し渡されて回転可能に軸支されている。各球受突部６３Ｈは、台形状をなして先端に向かって先細りになっている。そして、複数の球受突部６３Ｈの一部が、樋構成壁５１Ｒに形成された貫通孔６８内に突入しており、樋５１内を流下する遊技球が球受突部６３Ｈに当接して、羽根車６０が図３において反時計回り方向に回動される。
【００５７】
各羽根部６２は、円板体７０の一端面から軸方向に突出しており、回転軸６４の周りに配置されている。各羽根部６２は、円板体７０の回転軸６４から外側に向かうに従って回動方向（図３の時計周り方向）の後方に向かうように湾曲している。また、各羽根部６２は、回転軸６４側より外側が互いに離間している。そして、樋５１内を流下する遊技球の自重により、羽根車６０が図３において反時計回り方向に回動されると、作動部収容空間５０Ｓ内の空気が羽根部６２の湾曲に案内されて羽根車６０の外側に移動し、これがソレノイド５５に向かう冷却風になる。
【００５８】
ケース５０の前壁５０Ｆ（図５参照）には、図３に示すように上部と下部とに縦長の放熱孔６６，６６が貫通形成されている。そして、熱の上昇気流により、下方の放熱孔６６から上方の放熱孔６６に流れる空気の通路の途中に前記したソレノイド５５が配置された状態になっている。
【００５９】
ケース５０の外面には、センサー５２が取り付けられている。センサー５２は、図５に示すように、１対の対向片５２Ｔ，５２Ｔを備えた門型構造なす。各対向片５２Ｔ，５２Ｔには、それぞれ投光部５２Ａと受光部５２Ｂとが対向配置されている。一方、ケース５０のうち遊技球制止部材５６の下方には、樋構成壁５１Ｒと前壁５０Ｆ及び後壁５０Ｂとに、ケース５０の扁平方向で貫通する光挿通孔４９が形成されている。
【００６０】
センサー５２は、対向片５２Ｔ，５２Ｔでケース５０を扁平方向で挟み、投光部５２Ａと受光部５２Ｂが光挿通孔４９に嵌合された状態で、センサー５２がケース５０に固定されている。そして、樋５１のうち遊技球制止部材５６より下方に流下した遊技球が、投光部５２Ａと受光部５２Ｂとを結ぶ光軸を遮ったか否かに応じて、樋５１内を流下した遊技球を検出している。
【００６１】
本実施形態のパチンコ遊技機の構成は以上であり、次に上記構成からなるパチンコ遊技機の作用・効果を説明する。操作ノブ２８を操作することで、遊技球が連続的に遊技盤１１の遊技領域Ｒ１に弾き出されると、それら遊技球は、障害釘、ランプ風車１７，風車１９等に当たって向きを変えられ、ランダムな経路を通って遊技領域Ｒ１の下方に向かう。遊技領域Ｒ１を流下する遊技球が、各入賞口１４，１５，２０，２１の何れにも入賞していないときには、遊技球が払い出されない。即ち、賞球払出装置３０に備えたソレノイド５５が消磁状態とされ、遊技球制止部材５６が樋５１内に突出した状態に保持される。これにより遊技球は樋本体７５及び樋５１内で堰き止められた状態となるので、遊技球は払い出されない。
【００６２】
遊技領域Ｒ１を流下する途中で、遊技球が始動入賞口１４、大入賞口１５、各サイド入賞口２０，２１の何れかに入賞したことが検出されると、この検出信号に基づいて払出制御基板５８からの信号によってソレノイド５５が励磁される。すると、シャフト５７がコイルばね６１を押し縮めながらソレノイド５５内に向かって変位し、遊技球制止部材５６が第２の位置に変位する。これにより、遊技球制止部材５６の突出部３２が樋５１内から退避され、樋本体７５及び樋５１に堰き止められていた遊技球が、自重によって樋５１内を流下する。
【００６３】
このとき、樋５１内を流下する遊技球が、センサー５２における投光部５２Ａと受光部５２Ｂの光軸を横切る度にセンサー５２から払出制御基板５８に検出信号が送られ、遊技球制止部材５６より下方に流下した遊技球の球数が検出される。そして、その球数が所定数に達すると、ソレノイド５５が消磁され、コイルばね６１の付勢力によって遊技球制止部材５６が樋５１内に突出した状態に戻る。これにより、入賞口１４，１５，２０，２１への入賞球に応じた所定数の遊技球が賞球払出装置３０によって上皿２７Ａに払い出される。
【００６４】
さて、賞球払出装置３０から遊技球が払い出されると羽根車６０は以下のように作動する。賞球払出装置３０が遊技球を払い出すとき、遊技球制止部材５６より下流側に流下した遊技球が、樋５１内に突出した羽根車６０の球受突部６３Ｈに接触する。そして、羽根車６０は、遊技球が球受突部６３Ｈと接触する毎に遊技球の自重によって図３及び図４における反時計回り方向に回動される。すると、作動部収容空間５０Ｓ内の空気が、羽根車６０における羽根部６２が押され、その羽根部６２の湾曲に沿って羽根車６０の中心側から外側に向かって移動し、ソレノイド５５への冷却風になる。
【００６５】
賞球払出装置３０による払出終了後は、球受突部６３Ｈに遊技球が接触しなくなり、羽根車６０が慣性力によって空回りする。これにより、賞球払出装置３０による払出終了後においても、暫くは、羽根車６０が、羽根車６０自身の慣性力によって回動し、ソレノイド５５に冷却風が送られる。
なお、貸球払出装置３１を作動させる場合も、上記賞球払出装置３０と同様にして貸球払出装置３１内のソレノイドを冷却することができる。
【００６６】
このように本実施形態によれば、樋５１内を遊技球が流下している間のみならず、樋５１内で遊技球が堰き止められた後も羽根車６０の慣性力を利用して、ソレノイド５５に風を送ることができるので、従来より長い時間に亘ってソレノイド５５を冷却することができる。しかも、本実施形態では、樋５１内を流下する遊技球の自重に起因して冷却風を発生させるので、余分な電力を使用することなくソレノイド５５を冷却することができる。また、ケース５０の上部と下部とに放熱孔６６を設けたことで下方から上方へと向かう空気の通路の途中にソレノイド５５を配置し、その空気の流れを羽根車６０により促進して、効率的にソレノイド５５を冷却することができる。
【００６７】
＜第２実施形態＞
本実施形態は、図６〜図９に示されており、前記第１実施形態とは、ソレノイド５５を冷却するための構成が異なる。
図６に示すように、本実施形態の賞球払出装置３０は、羽根車９０とは別部品の接触部材８０をケース５０の内部に備える。接触部材８０は、前記第１実施形態における羽根車６０と同一位置に配置され、前記第１実施形態の羽根車６０と同構造の円板体７０Ａ及び複数の球受突部６３Ｈを備える。
【００６８】
接触部材８０のうち円板体７０Ａの一端面には、歯車８３が一体形成されている。歯車８３の周縁部には本発明の「伝達手段」、「駆動力伝達部」に相当する複数の三角歯８４が形成されている。各三角歯８４には、接触部材８０が遊技球によって回動される方向（図６の反時計回り方向）の前側に向かって徐々に外側に張り出す傾斜面８４Ｂが備えられ、接触部材８０の回動方向の後側には、接触部材８０の径方向に沿った係止面８４Ａが設けられている。
【００６９】
本実施形態の羽根車９０は、本発明の「回動部材」に相当する円板体７０Ｄの一端面に前記第１実施形態と同構造の複数の羽根部６２を備える。円板体７０Ｄは、中心に回転軸６４Ｄを備え、この回転軸６４Ｄがケース５０のうち扁平方向で対向した前壁５０Ｆ，後壁５０Ｂ（図５参照）の間に差し渡されて回転可能に軸支されている。
【００７０】
図９に示すように、円板体７０Ｄのうち羽根部６２と逆側の端面には、係合車９２が一体形成されている。係合車９２は、図６に示すように、円板体７０Ｄよりも径が小さいエンボス７４の周縁部に複数の弾性片９３（本発明の「伝達手段」、「駆動力受部」に相当する）を備えてなる。弾性片９３は、エンボス７４から外側に向かうに従って羽根部６２と同様の方向に湾曲している。また、弾性片９３は、エンボス７４の周面に接離方向に弾性変形可能となっている。
【００７１】
図８に示すように、羽根車９０と接触部材８０とは、係合車９２と歯車８３との係合によって連動回転可能となっている。具体的には、図６に示すように賞球払出装置３０が遊技球を払い出すときには、接触部材８０の球受突部６３Ｈが遊技球と接触して接触部材８０が同図の反時計方向に回動する。すると、接触部材８０の歯車８３における三角歯８４の係止面８４Ａに弾性片９３が突き当たって上方へ持ち上げられ、羽根車９０が時計周り方向に回動される。
【００７２】
図７に示すように、賞球払出装置３０による遊技球の払い出しが終了し、羽根車９０が慣性力で回動したときには、弾性片９３が三角歯８４の傾斜面８４Ｂに摺接してエンボス７４側に撓み、三角歯８４と弾性片９３との係合が解除される。これにより、接触部材８０が停止しても羽根車９０のみが慣性力で回動することができる。
なお、上記構成以外は、第１実施形態と同一であるので、それら同一部位には図６〜図９において第１実施形態と同一符号を付して、重複説明は省略する。
【００７３】
本実施形態の構成によれば、上記第１実施形態と同様な効果が得られると共に、接触部材８０と羽根車９０とを別個に設けたことで、羽根車９０の配置の自由度が高くなる。従って、羽根車９０をソレノイド５５に近い位置に配置して冷却効率を向上させることが可能となる。
【００７４】
＜第３実施形態＞
本実施形態は、図１０及び図１１に示されており、接触部材８８の構成が前記第２実施形態と異なる。
図１０に示すように、本実施形態の接触部材８８では、前記第２実施形態の歯車８３の代わりに、円板体７０Ａの一端面にプーリー８８Ｐが備えられている。また、ケース５０には、ソレノイド５５の上方に空間が備えられている。接触部材８８は、ソレノイド５５の上方空間に配置され、ケース５０の前壁５０Ｆと後壁５０Ｂとの間に差し渡された回転軸９６によって軸支されている。そして、樋構成壁５１Ｒに形成された貫通孔６８に接触部材８８の球受突部６３Ｈが突入され、樋５１のうち遊技球制止部材５６より上方を通過した遊技球によって接触部材８８が回動される。
【００７５】
また、前記第２実施形態における接触部材８０が設けられた位置には、歯車８３Ａが設けられている。歯車８３Ａは、ケース５０の前壁５０Ｆと後壁５０Ｂとの間に差し渡された回転軸８１によって回動可能に軸支され、周面に前記第２実施形態で説明した複数の三角歯８４を備える。そして、歯車８３Ａの一端面に備えたプーリー８３Ｐと、前記接触部材８８のプーリー８８Ｐとの間に、ベルト８９が差し渡されて、接触部材８８と歯車８３Ａとが連動回転する構成になっている。なお、上記構成以外は、第２実施形態と同一であるので、それら同一部位には図１０及び図１１において第２実施形態と同一符号を付して、重複説明は省略する。
【００７６】
次に本実施形態の動作を説明する。
ソレノイド５５の駆動によって、遊技球制止部材５６が樋５１内から退避されると（図１０の状態）、樋５１内を流下する遊技球と、接触部材８８とが接触して、接触部材８８が回動される。すると、ベルト８９によって接触部材８８と連結された歯車８３が、接触部材８８の回動に連動して回動され、さらに、歯車８３と連結された羽根車９０が回動される。これにより、羽根車９０からソレノイド５５に風が送られる。
【００７７】
ソレノイド５５によって遊技球制止部材５６が樋５１内に突出されると、遊技球が樋５１及び樋本体７５内に堰き止められると共に、接触部材８８の歯部６３Ｈと堰き止められた遊技球とが干渉して、接触部材８８の回動が直ちに停止され、歯車８３も停止する。このとき羽根車９０が慣性力で回動したときには、弾性片９３が三角歯８４の傾斜面８４Ｂに摺接して撓み、三角歯８４と弾性片９３との係合が解除される。これにより、接触部材８０が停止しても羽根車９０のみが慣性力で回動することができる。
【００７８】
＜他の実施形態＞
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
（１）前記第２，３実施形態においては、本発明に係る接触部材８０，８８が回動するように構成されていたが、接触部材は遊技球の自由を受けて移動するものであれば、必ずしも回動するものでなくてもよく、例えば、上下動するものであってもよい。
【００７９】
（２）前記第１〜第３実施形態においては、本発明の払出装置３０，３１をパチンコ遊技機１０に備えていたが、弾球遊技機であれば、アレンジ機等に備えていてもよい。
【００８０】
（３）前記第１〜第３実施形態では、ソレノイド５５によって遊技球制止部材５６を作動させていたが、モーターによって作動させてもよい。
【００８１】
（４）前記第３実施形態では、接触部材８８と歯車８３とをベルト８９によって連結すると共に歯車８３と羽根車９０とを係合させていたが、接触部材８８と羽根車９０とを直接ベルト８９によって連結してもよい。
【００８２】
（５）前記第２及び第３実施形態では、複数の三角歯８４を、本発明の「伝達手段、駆動力伝達部」として歯車８３，８３Ａに備えていたが、例えば図１２に示すように、１つの三角歯８４Ｚを本発明の「伝達手段」、「駆動力伝達部」としてエンボス８３Ｚの周面の１箇所に備えた構成にしてもよい。このものでは、接触部材８０の回転に伴いエンボス８３Ｚが回転し、エンボス８３Ｚが１回転する毎に、三角歯８４Ｚが羽根車９０に備えた複数の弾性片９３（本発明の「伝達手段」、「駆動力受部」に相当する）の何れかに接触又は衝突して羽根車９０が回動し、羽根車９０の回動に慣性力を発生させることができる。よって、弾性片９３（本発明の「伝達手段」、「駆動力受部」に相当する）より少ない数の三角歯８４Ｚ（本発明の「伝達手段」、「駆動力伝達部」に相当する）で接触部材から回動部材に駆動力を伝達することが可能になる。
【図面の簡単な説明】
【図１】本発明の第１実施形態に係るパチンコ遊技機の正面図
【図２】パチンコ遊技機の背面図
【図３】遊技球制止部材が樋内に突出したときの賞球払出装置の断面図
【図４】遊技球制止部材が樋内から退避したときの賞球払出装置の断面図
【図５】賞球払出装置の平断面図
【図６】第２実施形態に係る賞球払出装置の断面図
【図７】樋内の遊技球が流下した後の賞球払出装置の断面図
【図８】賞球払出装置の平断面図
【図９】回動部材の斜視図
【図１０】第３実施形態に係る賞球払出装置の断面図
【図１１】賞球払出装置の側断面図
【図１２】変形例に係る賞球払出装置の断面図
【符号の説明】
３０…賞球払出装置
３１…貸球払出装置
５０…ケース（筐体）
５１…樋
５５…ソレノイド（電気的駆動手段）
５６…遊技球制止部材
５７…シャフト（可動部）
６０，９０…回動部材
６２…羽根部
６３，８０，８８…接触部材
６６…放熱孔
７５…樋本体
８４…三角歯（伝達手段、駆動力伝達部）
８４Ａ…係止面
８４Ｂ…傾斜面
８９…べルト（介在部材）
９３…弾性片（伝達手段、駆動力受部）
【図１】
2004201712.tif 000003
【図２】
2004201712.tif 000004
【図３】
2004201712.tif 000005
【図４】
2004201712.tif 000006
【図５】
2004201712.tif 000007
【図６】
2004201712.tif 000008
【図７】
2004201712.tif 000009
【図８】
2004201712.tif 000010
【図９】
2004201712.tif 000011
【図１０】
2004201712.tif 000012
【図１１】
2004201712.tif 000013
【図１２】
2004201712.tif 000014